(57)【要約】【課題】保安性に優れた空調換気システムを提供する。【解決手段】空調換気システム１００は、冷媒回路ＲＣを構成する室外ユニット２０及び室内ユニット３０を含む空調装置１０と、換気用の給気ファン４３及び排気ファン４４を含む換気装置４０と、空調装置１０の動作を制御するコントローラ７０と、換気装置４０の動作を制御するアダプタユニット５０と、を備える。室内ユニット３０及び換気装置４０は、対象空間ＳＰに設置される。空調装置１０は、運転時に冷媒回路ＲＣにおいて冷媒を循環させて、対象空間ＳＰの冷房又は暖房を行う。アダプタユニット５０は、換気装置４０の動作を制御可能な状態にある場合、コントローラ７０へ状態報知信号を送信する。コントローラ７０は、状態報知信号を受信しない場合には、空調装置１０の運転を開始させない。【選択図】図８
2019174110.tif 000002
【特許請求の範囲】
【請求項１】
室外ユニット（２０）と、前記室外ユニットとともに冷媒回路（ＲＣ）を構成し対象空間（ＳＰ）に設置される室内ユニット（３０）と、を含み、運転時に前記冷媒回路において冷媒を循環させて前記対象空間の冷房又は暖房を行う空調装置（１０）と、
換気用の換気ファン（４３、４４、８１）を含み、前記対象空間に設置される換気装置（４０）と、
前記空調装置の動作を制御する空調制御部（７０）と、
前記換気装置の動作を制御する換気制御部（５０、９０）と、
を備え、
前記換気制御部は、前記換気装置の動作を制御可能な状態にある場合、前記空調制御部へ報知信号を送信し、
前記空調制御部は、前記報知信号を受信しない場合には、前記空調装置の運転を開始させない、
空調換気システム（１００、２００、３００、５００）。
【請求項２】
前記換気装置は、前記換気ファンを駆動させる駆動部（４５、８２）と、前記換気ファンを保持するフレーム（４１）と、をさらに含み、
前記換気制御部は、前記換気装置とは別体として構成される、
請求項１に記載の空調換気システム（１００、２００、３００、５００）。
【請求項３】
前記換気装置は、前記換気ファンの駆動電圧を供給する駆動電圧供給部（４５）と、前記換気制御部と電気的に接続される接続端子（４５１）と、をさらに含み、
前記換気制御部は、前記換気装置へ制御信号を出力し、
前記駆動電圧供給部は、前記接続端子を介して入力された前記制御信号に基づいて前記駆動電圧を供給する、
請求項１又は２に記載の空調換気システム（１００、３００）。
【請求項４】
前記換気装置は、商用電源（５）から駆動電源を供給され、
前記換気制御部は、前記換気装置と前記商用電源とを結ぶ電源供給ライン上に配置され前記電源供給ラインの導通及び遮断を切り換える切換部（９１）を含む、
請求項１又は２に記載の空調換気システム（２００）。
【請求項５】
前記空調制御部は、前記換気制御部へ電気信号を送信し、
前記換気制御部は、受信した前記電気信号に基づき前記換気装置の動作を制御する、
請求項１から４のいずれか１項に記載の空調換気システム（１００、２００、３００）。
【請求項６】
前記空調制御部は、前記電気信号を送信することで、前記換気装置の動作を、前記換気装置に関連づけられた前記室内ユニットの動作に連動するように制御する、
請求項５に記載の空調換気システム（１００、２００、３００）。
【請求項７】
前記室内ユニット及び／又は前記換気装置を複数備えるとともに、
複数の前記室内ユニット及び／又は複数の前記換気装置の動作を統括的に制御する統括制御部（７０）をさらに備え、
各前記換気装置は、いずれかの前記室内ユニットと、同一の前記対象空間に設置され、
前記統括制御部は、複数の前記室内ユニット及び／又は複数の前記換気装置を複数のグループに振り分け、前記グループ毎に前記室内ユニット及び前記換気装置を一括制御する、
請求項６に記載の空調換気システム（１００、２００、３００）。
【請求項８】
前記換気制御部は、無線通信によって前記報知信号を送信する、
請求項１から７のいずれか１項に記載の空調換気システム（３００、５００）。
【請求項９】
前記空調制御部と、前記換気制御部とは、前記報知信号の伝送路（ＮＷ）を構成する通信線（ＣＢ１、ＣＢ２）により電気的に接続される、
請求項１から８のいずれか１項に記載の空調換気システム（１００、２００）。
【発明の詳細な説明】
【技術分野】
【０００１】
本発明は、同一の対象空間に配置される空調装置の室内ユニットと換気装置とを含む空調換気システムに関する。
【背景技術】
【０００２】
従来、特許文献１（特開２００１−７４２８３号公報）に示すように、燃焼性の冷媒が循環する冷媒回路を有する空調装置の室内ユニットと、換気扇（換気装置）とを室内（対象空間）に設置し、そして、燃焼性の冷媒の漏洩を検知した際に、換気装置を運転することで燃焼性の冷媒を対象空間から排出するようにした構成が提案されている。
【発明の概要】
【発明が解決しようとする課題】
【０００３】
ここで、空調装置と換気装置とをビル等の建物に設置することによって、対象空間の冷暖房及び換気を行うようにする場合には、実際には、空調装置と換気装置とが、互いに独立して設置される場合が多い。すなわち、換気装置としては、換気扇のようなファンを有するものや、排熱回収のための全熱交換器を有するもの、除湿や加湿のための除加湿器を有するもの等、様々な種類のものが存在しており、空調装置とは独立してユーザのニーズに応じて選定されるため、設置現場において、異なる業者によって空調装置と換気装置とが独立して設置される場合が多い。
【０００４】
しかし、空調装置と換気装置とが独立して選定及び設置される場合であっても、空調装置からの冷媒の漏洩によって、対象空間における酸欠事故、着火事故（冷媒が微燃性又は燃焼性を有する場合）又は中毒事故（冷媒が毒性を有する場合）が発生することを防止するために、冷媒が漏洩した際に換気を行い、対象空間において酸欠濃度、可燃濃度又は毒性限界濃度を超えないようにすることが重要である。ところが、空調装置と換気装置とが独立して選定及び設置されると、異なる業者によって設置作業が行われることもあり、両装置間の通信系統の接続が確実になされない場合も想定される。係る場合には、冷媒漏洩が生じた際の換気が確実に行われない。
【０００５】
すなわち、空調装置と換気装置とが独立して設置される構成においては、冷媒が漏洩した際に換気装置が運転される等の対策が確立しないままで空調装置の運転が行われるおそれがあり、空調装置からの冷媒の漏洩による事故が発生する可能性を排除することができないという問題がある。
【０００６】
そこで、本発明の課題は、保安性に優れた空調換気システムを提供することである。
【課題を解決するための手段】
【０００７】
本発明の第１観点に係る空調換気システムは、空調装置と、換気装置と、空調制御部と、換気制御部と、を備える。空調装置は、室外ユニットと室内ユニットとを含む。室内ユニットは、室外ユニットとともに冷媒回路を構成する。室内ユニットは、対象空間に設置される。空調装置は、運転時に冷媒回路において冷媒を循環させて、対象空間の冷房又は暖房を行う。換気装置は、換気用の換気ファンを含む。換気装置は、対象空間に設置される。空調制御部は、空調装置の動作を制御する。換気制御部は、換気装置の動作を制御する。換気制御部は、換気装置の動作を制御可能な状態にある場合、空調制御部へ報知信号を送信する。空調制御部は、報知信号を受信しない場合には、空調装置の運転を開始させない。
【０００８】
本発明の第１観点に係る空調換気システムでは、換気制御部は換気装置の動作を制御可能な状態において空調制御部へ報知信号を送信し、空調制御部は報知信号を受信しない場合には空調装置の運転を開始させない。これにより、対象空間において換気装置が適正に設置されていない場合や、換気装置と換気制御部との通信が正常に行われない場合、又は換気装置が機械的に正常に動作しない場合には、空調制御部へ報知信号が送信されない。その結果、対象空間において換気装置が空調装置とは独立して設置されるか否かに関わらず、換気制御部の動作を制御可能な場合に限って空調装置の運転がなされる。すなわち、冷媒漏洩が生じた際に確実に換気が行われると想定されない状況においては、空調装置の運転がなされない。したがって、冷媒漏洩に対する保安性が確実に担保される。
【０００９】
なお、ここでの「報知信号を受信しない場合」には、換気制御部から報知信号が送信されないことにより空調制御部が報知信号を受信しない場合、及び換気制御部から報知信号が送信されているにも関わらず空調制御部が報知信号を正常に受信できない場合が含まれる。
【００１０】
また、ここでの「冷媒回路」において使用される冷媒としては、例えば、Ｒ３２のような微燃性の冷媒、又は、プロパンのような燃焼性を有する冷媒、又は、アンモニアのような毒性を有する冷媒が含まれる。
【００１１】
本発明の第２観点に係る空調換気システムは、第１観点に係る空調換気システムであって、換気装置は、駆動部と、フレームと、をさらに含む。駆動部は、換気ファンを駆動させる。フレームは、換気ファンを保持する。換気制御部は、換気装置とは別体として構成される。
【００１２】
本発明の第２観点に係る空調換気システムは、施工後の空調換気システムにおいても、容易に適用可能となる。すなわち、換気制御部が換気装置と別体として構成されていることにより、施工後の空調換気システムにおいて換気制御部を新たに付加することで、第２観点に係る空調換気システムが構築される。すなわち、汎用性が向上する。
【００１３】
本発明の第３観点に係る空調換気システムは、第１観点又は第２観点に係る空調換気システムであって、換気装置は、駆動電圧供給部と、接続端子と、をさらに含む。駆動電圧供給部は、換気ファンの駆動電圧を供給する。接続端子は、換気制御部と電気的に接続される。換気制御部は、換気装置へ電気信号を出力する。駆動電圧供給部は、接続端子を介して入力された制御信号に基づいて駆動電圧を供給する。
【００１４】
本発明の第３観点に係る空調換気システムは、施工後の空調換気システムにおいて、さらに容易に適用可能となる。すなわち、換気装置が、駆動電圧供給部と、接続端子と、含むことにより、施工後の空調換気システムにおいて換気制御部を新たに付加することが容易となる。よって、汎用性がさらに向上する。
【００１５】
本発明の第４観点に係る空調換気システムは、第１観点又は第２観点に係る空調換気システムであって、換気装置は、商用電源から駆動電源を供給される。換気制御部は、切換部を含む。切換部は、電源供給ライン上に配置される。電源供給ラインは、換気装置と商用電源とを結ぶ。切換部は、電源供給ラインの導通及び遮断を切り換える。
【００１６】
本発明の第４観点に係る空調換気システムは、施工後の空調換気システムにおいて、さらに容易に適用可能となる。すなわち、施工後の空調換気システムにおいて換気装置の型式に限定されることなく、換気制御部を新たに付加することが容易となる。よって、汎用性がさらに向上する。
【００１７】
本発明の第５観点に係る空調換気システムは、第１観点から第４観点のいずれかに係る空調換気システムであって、空調制御部は、換気制御部へ電気信号を送信する。換気制御部は、受信した電気信号に基づき、換気装置の動作を制御する。
【００１８】
これにより、既存の空調装置の伝送路（例えば室内ユニットとリモコンとを結ぶ通信線）を用いて遠隔的に換気装置の動作を制御することが可能となり、コストを抑制しつつ保安性を確保することが可能となる。
【００１９】
本発明の第６観点に係る空調換気システムは、第５観点に係る空調換気システムであって、空調制御部は、電気信号を送信することで、換気装置の動作を、換気装置に関連づけられた室内ユニットの動作に連動するように、制御する。
【００２０】
これにより、状況に応じて、換気装置を、空調装置の動作に連動して運転させることが可能となる。よって、利便性が向上する。
【００２１】
本発明の第７観点に係る空調換気システムは、第６観点に係る空調換気システムであって、室内ユニット及び／又は換気装置を複数備えるとともに、統括制御部をさらに備える。統括制御部は、複数の室内ユニット及び／又は複数の換気装置の動作を統括的に制御する。各換気装置は、いずれかの室内ユニットと、同一の対象空間に設置される。統括制御部は、複数の室内ユニット及び／又は複数の換気装置を複数のグループに振り分ける。統括制御部は、グループ毎に室内ユニット及び換気装置を一括制御する。
【００２２】
これにより、室内ユニットと換気装置とを統括的に制御することが可能となる。よって、利便性がさらに向上する。
【００２３】
また、複数の室内ユニットを有する室内マルチ型の空調装置では、対象空間の所定のエリアごとに室内ユニット及び換気装置を設置して、換気装置と連動させて運転することもある。例えば、オフィスにおいて勤務時間外に労働者が在室していない場合には、省エネルギのために空調装置及び換気装置を連動させて停止させることがある。
【００２４】
しかし、室内マルチ型の空調装置と換気装置とを連動させる構成においても、空調装置及び換気装置自体は、独立して設置して運転することが可能な装置である。すなわち、両装置間の通信系統の接続が行われている場合には、必要に応じて両装置を連動させて運転できるようになっているが、両装置間の通信系統の接続が行われていない場合には、互いに連動することはなく、両装置を独立して運転できるだけである。このように、室内マルチ型の空調装置と換気装置とが独立して選定及び設置されることを考慮すると、空調装置からの冷媒の漏洩を検知した際に、換気装置を運転することで冷媒を対象空間から排出する構成を採用しようとしても、設置現場において、両装置間の通信系統の接続が確実になされない状況が発生するおそれがある。このため、室内マルチ型の空調装置と換気装置とが独立して設置される構成においては、冷媒が漏洩した際に換気装置が運転される等の対策が確立しないままで空調装置の運転が行われるおそれがあり、空調装置からの冷媒の漏洩による事故が発生する可能性を排除することができないという問題がある。
【００２５】
第７観点に係る空調換気システムでは、複数の室内ユニットを有する室内マルチ型の空調装置と、換気装置と、が独立して設置される構成においても保安性が確実に担保される。
【００２６】
本発明の第８観点に係る空調換気システムは、第１観点から第７観点のいずれかに係る空調換気システムであって、換気制御部は、無線通信によって報知信号を送信する。
【００２７】
これにより、対象空間において通信ネットワークを容易に構築することが可能となる。
【００２８】
本発明の第９観点に係る空調換気システムは、第１観点から第８観点のいずれかに係る空調換気システムであって、空調制御部と、換気制御部とは、通信線により電気的に接続される。通信線は、報知信号の伝送路を構成する。
【００２９】
これにより、対象空間において、既存の空調装置の通信線（例えば室内ユニットとリモコンとを結ぶ通信線）を用いて通信ネットワークを構築することが可能となる。よって、コストを抑制しつつ保安性を確保することが可能となる。
【発明の効果】
【００３０】
本発明の第１観点に係る空調換気システムでは、対象空間において換気装置が空調装置とは独立して設置されるか否かに関わらず、換気制御部の動作を制御可能な場合に限って空調装置の運転がなされる。すなわち、冷媒漏洩が生じた際に確実に換気が行われると想定されない状況においては、空調装置の運転がなされない。したがって、冷媒漏洩に対する保安性が確実に担保される。
【００３１】
本発明の第２観点に係る空調換気システムでは、施工後の空調換気システムにおいても、容易に適用可能となり、汎用性が向上する。
【００３２】
本発明の第３観点に係る空調換気システムでは、施工後の空調換気システムにおいて、さらに容易に適用可能となり、汎用性がさらに向上する。
【００３３】
本発明の第４観点に係る空調換気システムでは、施工後の空調換気システムにおいて、さらに容易に適用可能となり、汎用性がさらに向上する。
【００３４】
本発明の第５観点に係る空調換気システムでは、既存の空調装置の伝送路を用いて遠隔的に換気装置の動作を制御することが可能となり、コストを抑制しつつ保安性を確保することが可能となる。
【００３５】
本発明の第６観点に係る空調換気システムでは、状況に応じて、換気装置を、空調装置の動作に連動して運転させることが可能となり、利便性が向上する。
【００３６】
本発明の第７観点に係る空調換気システムでは、室内ユニットと換気装置とを統括的に制御することが可能となり、利便性がさらに向上する。また、複数の室内ユニットを有する室内マルチ型の空調装置と、換気装置と、が独立して設置される構成においても保安性が確実に担保される。
【００３７】
本発明の第８観点に係る空調換気システムでは、対象空間において通信ネットワークを容易に構築することが可能となる。
【００３８】
本発明の第９観点に係る空調換気システムでは、対象空間において、既存の空調装置の通信線を用いて通信ネットワークを構築することが可能となり、コストを抑制しつつ保安性を確保することが可能となる。
【図面の簡単な説明】
【００３９】
【図１】本発明の一実施形態に係る空調換気システムの概略構成図。
【図２】空調換気システムにおいて構成される冷媒回路及び伝送路を示した模式図。
【図３】換気装置の概略構成図。
【図４】コントローラと、コントローラに接続される各部を模式的に示すブロック図。
【図５】状態判定部（アダプタユニット）の処理の流れの一例を示したフローチャート。
【図６】グルーピングテーブルの一例を示した模式図。
【図７】コントローラの処理の流れの一例を示したフローチャート。
【図８】コントローラ、アダプタユニット、及び換気装置において行われる処理の一例を模式的に示したシーケンス図。
【図９】変形例Ｄに係る空調換気システムにおいて構成される冷媒回路及び伝送路を示した模式図。
【図１０】変形例Ｅに係る空調換気システムにおいて構成される冷媒回路及び伝送路を示した模式図。
【図１１】変形例Ｎに係る空調換気システムにおいて構成される冷媒回路及び伝送路を示した模式図。
【発明を実施するための形態】
【００４０】
本発明の一実施形態に係る空調換気システム１００について説明する。なお、以下の実施形態は、本発明の具体例であって、本発明の技術的範囲を限定するものではなく、本発明の趣旨を逸脱しない範囲で適宜変更可能である。
【００４１】
（１）空調換気システム１００
図１は、本発明の一実施形態に係る空調換気システム１００の概略構成図である。図２は、空調換気システム１００において構成される冷媒回路ＲＣ及び伝送路を示した模式図である。
【００４２】
空調換気システム１００は、ビルや工場等に設置されて、対象空間の冷房、暖房及び換気等の空気調和を実現するシステムである。本実施形態において、空調換気システム１００は、複数の対象空間ＳＰ（ＳＰ１及びＳＰ２）の空気調和を行う。
【００４３】
空調換気システム１００は、主として、対象空間ＳＰの冷房又は暖房を行う空調装置１０と、複数の換気装置４０と、を有している。また、空調換気システム１００は、複数のアダプタユニット５０（換気制御部）と、複数の冷媒漏洩センサ６０と、空調換気システム１００の動作を統括的に制御するコントローラ７０（空調制御部、統括制御部）と、を有している。
【００４４】
なお、本実施形態においては、対象空間ＳＰにおいて既に設置されている空調装置１０と、換気装置４０と、を用いて、空調換気システム１００を構成する場合について説明する。具体的には、空調装置１０と換気装置４０とが設置されている対象空間ＳＰにおいて、アダプタユニット５０を追加的に設置することで空調換気システム１００を構成する。
【００４５】
（１−１）空調装置１０
空調装置１０は、冷媒回路ＲＣを含み、冷媒回路ＲＣにおいて冷媒を循環させて蒸気圧縮方式の冷凍サイクルを行うことにより、各対象空間ＳＰ（ＳＰ１及びＳＰ２）の冷房又は暖房を行う。
【００４６】
空調装置１０は、主として、熱源ユニットとしての１台の室外ユニット２０と、利用ユニットとしての複数（ここでは４台）の室内ユニット３０と、コマンドを入力する入力装置としての複数（ここでは２個）のリモコン３５と、室外ユニット２０及び各室内ユニット３０の動作を統括的に制御する集中管理機器３８と、を備えている。
【００４７】
なお、本実施形態においては、各対象空間ＳＰに２台の室内ユニット３０と、１個のリモコン３５と、が配置されている。具体的には、対象空間ＳＰ１に室内ユニット３０ａ、３０ｂ及びリモコン３５ａが配置され、対象空間ＳＰ２には室内ユニット３０ｃ、３０ｄ及びリモコン３５ｂが配置されている。
【００４８】
空調装置１０では、室外ユニット２０と、各室内ユニット３０と、がガス連絡配管ＧＰ及び液連絡配管ＬＰで接続されることで冷媒回路ＲＣが構成されている。
【００４９】
冷媒回路ＲＣには、冷媒として、例えば、Ｒ３２のような微燃性を有する冷媒、又は、プロパンのような燃焼性を有する冷媒、又は、アンモニアのような毒性を有する冷媒が封入されている。
【００５０】
（１−１−１）室外ユニット２０
室外ユニット２０は、室外に設置される。室外ユニット２０は、主として、複数の冷媒配管（第１配管Ｐ１〜第６配管Ｐ６）と、圧縮機２１と、四路切換弁２２と、室外熱交換器２３と、室外膨張弁２４と、室外ファン２５と、室外ユニット制御部２６と、を有している。
【００５１】
第１配管Ｐ１は、ガス連絡配管ＧＰと四路切換弁２２とを接続する冷媒配管である。第２配管Ｐ２は、四路切換弁２２と圧縮機２１の吸入ポート（図示省略）とを接続する吸入配管である。第３配管Ｐ３は、圧縮機２１の吐出ポート（図示省略）と四路切換弁２２とを接続する吐出配管である。第４配管Ｐ４は、四路切換弁２２と室外熱交換器２３のガス側とを接続する冷媒配管である。第５配管Ｐ５は、室外熱交換器２３の液側と室外膨張弁２４とを接続する冷媒配管である。第６配管Ｐ６は、室外膨張弁２４と液連絡配管ＬＰとを接続する冷媒配管である。
【００５２】
圧縮機２１は、低圧のガス冷媒を吸入し、圧縮して吐出する機構である。圧縮機２１は、圧縮機モータ２１ａを内蔵された密閉式の構造を有している。圧縮機２１では、圧縮機ケーシング（図示省略）内に収容されたロータリ式やスクロール式等の圧縮要素（図示省略）が、圧縮機モータ２１ａを駆動源として駆動される。圧縮機モータ２１ａは、運転中、インバータ制御され、状況に応じて回転数を調整される。圧縮機２１は、駆動時に、吸入ポートから冷媒を吸入し、圧縮後、吐出ポートから吐出する。
【００５３】
四路切換弁２２は、冷媒回路ＲＣにおいて冷媒の流れる方向を切り換えるための切換弁である。四路切換弁２２は、第１配管Ｐ１、第２配管Ｐ２、第３配管Ｐ３及び第４配管Ｐ４と個別に接続されている。四路切換弁２２は、冷房運転時には、第１配管Ｐ１と第２配管Ｐ２とが接続されるとともに、第３配管Ｐ３と第４配管Ｐ４とが接続されるように、流路を切り換える（図１の四路切換弁２２の実線を参照）。また、四路切換弁２２は、暖房運転時には、第１配管Ｐ１と第３配管Ｐ３とが接続されるとともに、第２配管Ｐ２と第４配管Ｐ４とが接続されるように、流路を切り換える（図１の四路切換弁２２の破線を参照）。
【００５４】
室外熱交換器２３は、冷房運転時には冷媒の凝縮器又は放熱器として機能し、暖房運転時には冷媒の蒸発器として機能する熱交換器である。室外熱交換器２３は、冷媒が流れる伝熱管（図示省略）と、伝熱面積を増大する伝熱フィン（図示省略）と、を含む。室外熱交換器２３は、運転時において、伝熱管内の冷媒と、室外ファン２５によって生成される空気流と、が熱交換可能なように配置されている。
【００５５】
室外膨張弁２４は、開度調整が可能な電動弁である。室外膨張弁２４は、冷房運転時には全開とされ、暖房運転時には開度に応じて冷媒を減圧する膨張弁として機能する。
【００５６】
室外ファン２５は、例えばプロペラファンである。各室外ファン２５は、室外ファンモータ２５ａの出力軸に接続されており、室外ファンモータ２５ａに連動して駆動する。室外ファン２５は、駆動すると、外部から室外ユニット２０内に流入し室外熱交換器２３を通過してから室外ユニット２０外へ流出する空気流を生成する。
【００５７】
室外ユニット制御部２６は、ＣＰＵやメモリ等で構成されるマイクロコンピュータである。室外ユニット制御部２６は、室外ユニット２０における各アクチュエータの動作を制御する。室外ユニット制御部２６は、各室内ユニット３０の室内ユニット制御部３４（後述）と、通信線を介して接続されており、相互に信号の送受信を行う。また、室外ユニット制御部２６は、集中管理機器３８と、ＷＡＮやＬＡＮ等の通信ネットワークを介して接続されており、相互に信号の送受信を行う。また、室外ユニット制御部２６は、各室内ユニット制御部３４、各リモコン３５又は各アダプタユニット５０と、集中管理機器３８と、の間の通信において送受信される信号を中継する。
【００５８】
（１−１−２）室内ユニット３０
室内ユニット３０は、例えば、いわゆる天井埋込み型、天井吊下げ型又は壁掛け型の室内機である。室内ユニット３０は、室外ユニット２０とともに冷媒回路ＲＣを構成している。室内ユニット３０は、主として、室内熱交換器３１と、室内膨張弁３２と、室内ファン３３と、室内ユニット制御部３４と、を有している。
【００５９】
室内熱交換器３１は、冷房運転時には冷媒の蒸発器として機能し、暖房運転時には冷媒の凝縮器又は放熱器として機能する熱交換器である。室内熱交換器３１は、いわゆるクロス・フィン・チューブ熱交換器である。室内熱交換器３１は、一端が室内膨張弁３２まで延びる冷媒配管に接続されるとともに、他端がガス連絡配管ＧＰに接続されている。室内熱交換器３１は、運転時において、伝熱管（図示省略）内の冷媒と、室内ファン３３によって生成される空気流と、が熱交換可能なように配置されている。
【００６０】
室内膨張弁３２は、開度調整が可能な電動弁である。室内膨張弁３２は、室内ユニット３０の運転停止時には、最小開度に制御される。室内膨張弁３２は、冷房運転時には開度に応じて冷媒を減圧する膨張弁として機能し、暖房運転時には全開とされる。
【００６１】
室内ファン３３は、例えばプロペラファンや多翼ファンであり、室内ファンモータ３３ａの出力軸に接続されている。室内ファン３３は、室内ファンモータ３３ａに連動して駆動する。室内ファン３３は、駆動すると、室内ユニット３０内に流入して室内熱交換器３１を通過した後に室内ユニット３０外に流出する空気流を生成する。
【００６２】
室内ユニット制御部３４は、ＣＰＵやメモリ等で構成されるマイクロコンピュータである。室内ユニット制御部３４は、室内ユニット３０における各アクチュエータの動作を制御する。各室内ユニット制御部３４は、室外ユニット制御部２６又は集中管理機器３８と、信号の送受信を行う。また、各室内ユニット制御部３４は、対応するリモコン３５及びアダプタユニット５０と、ネットワークＮＷを介して通信する。また、各室内ユニット制御部３４は、対応するリモコン３５又はアダプタユニット５０と、室外ユニット制御部２６又は集中管理機器３８と、の間の通信において送受信される信号を中継する。
【００６３】
なお、本実施形態において、ネットワークＮＷは、通信線で構成されるいわゆる有線ネットワークであり、電気信号の伝送路として機能する。具体的に、対象空間ＳＰ１においては通信線ＣＢ１によってネットワークＮＷが構築され、対象空間ＳＰ２においては通信線ＣＢ２によってネットワークＮＷが構築されている。
【００６４】
（１−１−３）リモコン３５
リモコン３５は、空調装置１０へのコマンドを入力するための入力キー（図示省略）と、運転状態を表示するディスプレイ（図示省略）を有するユーザインターフェースである。リモコン３５は、同一の対象空間ＳＰに配置される室内ユニット３０の室内ユニット制御部３４とネットワークＮＷを介して相互に信号の送受信を行う。
【００６５】
本実施形態において、リモコン３５ａは、室内ユニット３０ｂの室内ユニット制御部３４と通信線ＣＢ１で接続されている。また、リモコン３５ｂは、室内ユニット３０ｄの室内ユニット制御部３４と通信線ＣＢ２で接続されている。
【００６６】
また、リモコン３５は、室内ユニット制御部３４に信号を中継されることで、室外ユニット制御部２６、集中管理機器３８、又はアダプタユニット５０と、通信を行う。
【００６７】
（１−１−４）集中管理機器３８
集中管理機器３８は、空調装置１０及び複数の換気装置４０を含む空調換気システム１００の動作を統括的に制御するコンピュータである。集中管理機器３８は、ＣＰＵと、ＲＯＭ、ＲＡＭやフラッシュメモリ等のメモリと、を含んでいる。また、集中管理機器３８は、ユーザがコマンドを入力する入力部と、ユーザに情報を表示する表示部と、を含んでいる。
【００６８】
集中管理機器３８は、例えば各対象空間ＳＰとは離れた監視室や集中管理室等に配置されるサーバである。集中管理機器３８は、室外ユニット制御部２６と、相互に信号の送受信を行う。また、集中管理機器３８は、室外ユニット制御部２６に信号を中継されることで、室内ユニット制御部３４、リモコン３５、又はアダプタユニット５０と、通信を行う。
【００６９】
（１−２）換気装置４０
図３は、換気装置４０の概略構成図である。換気装置４０は、対象空間ＳＰの換気を行う。換気装置４０は、対象空間ＳＰ（より詳細には対象空間ＳＰの天井裏空間）において、空調装置１０とは独立して設置されている。換気装置は、商用電源５から電源を供給されている。
【００７０】
空調換気システム１００では、複数（ここでは２台）の換気装置４０（換気装置４０ａ及び４０ｂ）を有している。換気装置４０ａは対象空間ＳＰ１に配置され、換気装置４０ｂは対象空間ＳＰ２に配置されている。
【００７１】
各換気装置４０は、複数のダクト（取入ダクト４０１、給気ダクト４０２、取出ダクト４０３、及び排気ダクト４０４）を有している。取入ダクト４０１は、室外空気ＯＡを対象空間ＳＰに取り入れるための取入口に接続される。給気ダクト４０２は、室外空気ＯＡを供給空気ＳＡとして供給する給気口に接続される。取出ダクト４０３は、室内空気ＲＡを対象空間ＳＰから取り出すための取出口に接続される。排気ダクト４０４は、室内空気ＲＡを排出空気ＥＡとして室外に排出するための排出口に接続される。
【００７２】
また、各換気装置４０は、本体フレーム４１（フレーム）と、熱交換器４２と、換気用の給気ファン４３（換気ファン）及び排気ファン４４（換気ファン）と、ファン駆動制御部４５（駆動部、駆動電圧供給部）と、を有している。
【００７３】
本体フレーム４１は、給気ファン４３及び排気ファン４４を収容している（保持している）。本体フレーム４１内には、互いに区画された２つの空気流路（給気流路４１ａ及び排気流路４１ｂ）が形成されている。給気流路４１ａ及び排気流路４１ｂは、それぞれ熱交換器４２を横切るように形成されている。給気流路４１ａは、その一端が取入ダクト４０１に接続され、他端が給気ダクト４０２に接続されている。給気流路４１ａは、室外から対象空間ＳＰに向けて空気を流すための空気流路である。排気流路４１ｂは、その一端が取出ダクト４０３に接続され、他端が排気ダクト４０４に接続されている。排気流路４１ｂは、対象空間ＳＰから室外に向けて空気を流すための空気流路である。
【００７４】
熱交換器４２は、２つの空気流（ここでは、室内空気ＲＡと室外空気ＯＡ）の間で顕熱と潜熱とを同時に熱交換する全熱交換器である。熱交換器４２は、本体フレーム４１内に配置され、２つの給気流路４１ａ上に位置している。
【００７５】
給気ファン４３は、室外から対象空間ＳＰに向かう空気流を生成する。給気ファン４３は、シロッコファンであり、駆動部である給気ファンモータ４３ａを含む。給気ファン４３は、本体フレーム４１内に配置され、給気流路４１ａ上に位置している。
【００７６】
排気ファン４４は、対象空間ＳＰから室外に向かう空気流を生成する。排気ファン４４は、シロッコファンであり、駆動部である排気ファンモータ４４ａを含む。排気ファン４４は、排気流路４１ｂ上に位置している。
【００７７】
ファン駆動制御部４５は、給気ファン４３（給気ファンモータ４３ａ）及び排気ファン４４（排気ファンモータ４４ａ）の駆動を制御する制御部である。ファン駆動制御部４５は、本体フレーム４１に設けられた電装品箱４１１内に収容されている。ファン駆動制御部４５は、給気ファンモータ４３ａ及び排気ファンモータ４４ａに対して回転数に応じた駆動電圧を供給するインバータ（図示省略）と、供給する電圧を回転数（風量）に基づいて決定する電圧決定部（図示省略）と、を含む。すなわち、本実施形態の換気装置４０は、給気ファン４３及び排気ファン４４の回転数を調整可能である。
【００７８】
ファン駆動制御部４５は、外部機器と電気的に接続されるための接続端子４５１（図４参照）を有している。ファン駆動制御部４５は、接続端子４５１に通信線の一端側を接続されることで、通信線の他端側に接続されている機器（ここではアダプタユニット５０）と、電気的に接続されて通信可能となる。
【００７９】
ファン駆動制御部４５は、接続端子４５１及び通信線を介して接続されたアダプタユニット５０から、制御信号（後述する回転数制御信号）を送信される（すなわち、接続端子４５１を介して制御信号を入力される）と、当該回転数制御信号に基づいた回転数で給気ファンモータ４３ａ又は排気ファンモータ４４ａが駆動するように、給気ファンモータ４３ａ又は排気ファンモータ４４ａに駆動電圧を供給する。
【００８０】
（１−３）アダプタユニット５０
アダプタユニット５０は、換気装置４０と電気的に接続されている。アダプタユニット５０は、ファン駆動制御部４５に制御信号を送信することで、対応する換気装置４０（給気ファン４３及び排気ファン４４）の動作を制御するユニットである。空調換気システム１００は、複数（ここでは２個）のアダプタユニット５０（第１アダプタユニット５０ａ及び第２アダプタユニット５０ｂ）を有している。具体的に、第１アダプタユニット５０ａは、対象空間ＳＰ１に配置され換気装置４０ａに対応している。第２アダプタユニット５０ｂは、対象空間ＳＰ２に配置され換気装置４０ｂに対応している。
【００８１】
アダプタユニット５０は、対応する換気装置４０（本体フレーム４１）とは別体に構成され、独立して配置されている。特に、本実施形態においては、アダプタユニット５０は、既に空調装置１０及び換気装置４０が設置されている対象空間ＳＰにおいて、追加的に配置される。
【００８２】
アダプタユニット５０は、ＲＯＭ及びＲＡＭ等のメモリやＣＰＵ等で構成されるマイクロコンピュータを含む。また、アダプタユニット５０は、ファン駆動制御部４５及び室内ユニット制御部３４と信号を送受信するための通信モジュールを含んでいる。
【００８３】
アダプタユニット５０は、室内ユニット制御部３４（コントローラ７０）から送信される信号に基づき、ファン駆動制御部４５に対し、給気ファン４３（給気ファンモータ４３ａ）及び／又は排気ファン４４（排気ファンモータ４４ａ）の発停及び回転数を切り換える指令を含む信号（以下、「回転数制御信号」）を送信する。すなわち、アダプタユニット５０は、受信する電気信号に基づき、換気装置４０の動作を制御する。
【００８４】
アダプタユニット５０は、電源を投入されると、定期的（所定時間ｔ１が経過する毎）にファン駆動制御部４５との通信が正常に可能であり、且つ、換気装置４０が機械的に正常に動作するか否かの判定（以下、「状態判定」と記載）を行う。本実施形態において、所定時間ｔ１は、１ｍｉｎに設定されている。
【００８５】
アダプタユニット５０は、状態判定における判定結果が正常である（すなわち、アダプタユニット５０と換気装置４０間の通信が正常に可能であり、且つ、換気装置４０が機械的に正常に動作する）ことを確認すると、伝送信号（以下、「状態報知信号」）を室内ユニット制御部３４に送信する。すなわち、アダプタユニット５０は、ファン駆動制御部４５との通信が正常に可能であり、且つ、換気装置４０が機械的に正常に動作する状態においては、定期的に室内ユニット制御部３４（コントローラ７０）に対して状態報知信号（報知信号）を送信する。
【００８６】
具体的に、状態判定において、アダプタユニット５０は、駆動指令又は回転数制御信号に対する換気装置４０の動作が正常である場合（具体的には、停止状態にある換気装置４０が駆動指令を受けて正常に駆動する場合、或いは駆動している給気ファン４３又は排気ファン４４の回転数が送信した直近の回転数制御信号と合致する場合）には、換気装置４０との通信が正常に可能であり、且つ、換気装置４０が機械的に正常に動作する状態にある、と判定する。一方で、アダプタユニット５０は、駆動指令又は回転数制御信号に対する換気装置４０の動作が正常でない場合（具体的には、停止状態にある換気装置４０が駆動指令を受けて正常に駆動しない場合、或いは駆動中している給気ファン４３又は排気ファン４４の回転数が送信した直近の回転数制御信号と合致しない場合）には、換気装置４０との通信が正常に行えない、又は換気装置４０が機械的に正常に動作しない、と判定する。
【００８７】
なお、アダプタユニット５０は、給気ファンモータ４３ａや排気ファンモータ４４ａを流れるモータ電流や磁束の変化等に基づき、公知の方法により給気ファン４３及び排気ファン４４の発停状態及び回転数を検知する。
【００８８】
ここで、状態報知信号は、アダプタユニット５０とファン駆動制御部４５（換気装置４０）との通信、及びアダプタユニット５０と室内ユニット制御部３４（コントローラ７０）との通信、が正常に行える状態にあり、且つ、換気装置４０が機械的に正常に動作する状態にあることを、室内ユニット制御部３４（コントローラ７０）へ報知するための信号である。すなわち、アダプタユニット５０は、換気装置４０の動作を制御可能な状態にある場合、定期的（所定時間ｔ１が経過する毎）に状態報知信号を室内ユニット制御部３４（コントローラ７０）に送信する。
【００８９】
アダプタユニット５０の詳細については、後述の「（３）アダプタユニット５０の詳細」において説明する。
【００９０】
（１−４）冷媒漏洩センサ６０
冷媒漏洩センサ６０は、対象空間ＳＰにおける冷媒漏洩を検知するためのセンサである。本実施形態では、冷媒漏洩センサ６０は、公知の汎用品が用いられる。
【００９１】
冷媒漏洩センサ６０は、対応する対象空間ＳＰに配置されている。空調換気システム１００では、複数（２個）の冷媒漏洩センサ６０（第１冷媒漏洩センサ６０ａ及び第２冷媒漏洩センサ６０ｂ）を有している。
【００９２】
第１冷媒漏洩センサ６０ａは、対象空間ＳＰ１に設置されている。第２冷媒漏洩センサ６０ｂは、対象空間ＳＰ２に設置されている。
【００９３】
各冷媒漏洩センサ６０は、同一の対象空間ＳＰ１に設置されている室内ユニット３０の室内ユニット制御部３４と電気的に接続されている。第１冷媒漏洩センサ６０ａは、室内ユニット３０ｂの室内ユニット制御部３４と電気的に接続されている。第２冷媒漏洩センサ６０ｂは、室内ユニット３０ｄの室内ユニット制御部３４と電気的に接続されている。
【００９４】
冷媒漏洩センサ６０は、冷媒漏洩を検出すると、冷媒漏洩が生じている旨を示す電気信号（以下、「冷媒漏洩信号」と記載）を、接続されている室内ユニット制御部３４に出力する。
【００９５】
（１−５）コントローラ７０
空調換気システム１００では、室外ユニット制御部２６と、各室内ユニット制御部３４と、各リモコン３５と、集中管理機器３８と、が通信ネットワークを介して接続されることで、空調換気システム１００の動作を制御するコントローラ７０が構成されている。コントローラ７０の詳細については、後述の「（４）コントローラ７０の詳細」において説明する。
【００９６】
（２）空調換気システム１００の運転
（２−１）冷房運転
リモコン３５に冷房運転開始指示が入力される等して、コントローラ７０によって冷房運転に係る制御が実行されると、四路切換弁２２が冷房運転状態（図２の四路切換弁２２の実線で示された状態）に切り換えられて、圧縮機２１及び室外ファン２５が起動する。また、冷房運転を行う対象空間ＳＰに設置された室内ユニット３０（以下、「冷房室内ユニット３０」と記載）の室内ファン３３が起動するとともに室内膨張弁３２が適切な開度で開けられる。
【００９７】
係る状態になると、冷房室内ユニット３０の室内熱交換器３１に流入した冷媒が、室内ファン３３によって生成される空気流と熱交換して蒸発する。室内熱交換器３１を流出した冷媒は、ガス連絡配管ＧＰ、第１配管Ｐ１、四路切換弁２２、及び第２配管Ｐ２を通過して圧縮機２１に吸入されて圧縮される。圧縮機２１から吐出された冷媒は、第３配管Ｐ３、四路切換弁２２、及び第４配管Ｐ４を通過して室外熱交換器２３に流入する。
【００９８】
室外熱交換器２３に流入した冷媒は、室外ファン２５が生成する空気流と熱交換して凝縮する。室外熱交換器２３から流出した冷媒は、第５配管Ｐ５、室外膨張弁２４、第６配管Ｐ６、及び液連絡配管ＬＰを通過して冷房室内ユニット３０の室内膨張弁３２に流入する。室内膨張弁３２に流入した冷媒は、室内膨張弁３２の開度に応じて減圧される。室内膨張弁３２から流出した冷媒は、再び室内熱交換器３１に流入する。
【００９９】
（２−２）暖房運転
リモコン３５に暖房運転開始指示が入力される等して、コントローラ７０によって暖房運転に係る制御が実行されると、四路切換弁２２が暖房運転状態（図２の四路切換弁２２の破線で示された状態）に切り換えられて、圧縮機２１及び室外ファン２５が起動する。また、室外膨張弁２４が適切な開度で開けられる。また、暖房運転を行う対象空間ＳＰに設置された室内ユニット３０（以下、「暖房室内ユニット３０」と記載）の室内ファン３３が起動する。
【０１００】
係る状態になると、室外熱交換器２３に流入した冷媒が、室外ファン２５によって生成される空気流と熱交換して蒸発する。室外熱交換器２３を流出した冷媒は、第４配管Ｐ４、四路切換弁２２、及び第２配管Ｐ２を通過して圧縮機２１に吸入されて圧縮される。圧縮機２１から吐出された冷媒は、第３配管Ｐ３、四路切換弁２２、及び第１配管Ｐ１、及びガス連絡配管ＧＰを通過して暖房室内ユニット３０の室内熱交換器３１に流入する。
【０１０１】
室内熱交換器３１に流入した冷媒は、室内ファン３３が生成する空気流と熱交換して凝縮する。室内熱交換器３１から流出した冷媒は、室内膨張弁３２、液連絡配管ＬＰ、及び第６配管Ｐ６を通過して室外膨張弁２４に流入する。室外膨張弁２４に流入した冷媒は、室外膨張弁２４の開度に応じて減圧される。室外膨張弁２４から流出した冷媒は、再び室外熱交換器２３に流入する。
【０１０２】
（２−３）換気運転
換気装置４０に換気運転の開始指示がなされると、給気ファン４３及び排気ファン４４が起動する。なお、換気運転の指示には、アダプタユニット５０からの要求による場合と、コントローラ７０からの要求による場合と、がある。
【０１０３】
給気ファン４３及び排気ファン４４が駆動状態になると、取入ダクト４０１を通じて室外から換気装置４０内に流入した室外空気ＯＡと、取出ダクト４０３を通じて対象空間ＳＰから換気装置４０内に流入した室内空気ＲＡとが、熱交換器４２において、熱交換を行う。その後、熱交換器４２において熱交換を行った室外空気ＯＡは、給気ダクト４０２を通じて供給空気ＳＡとして対象空間ＳＰに供給される。また、熱交換器４２において熱交換を行った室内空気ＲＡは、排気ダクト４０４を通じて排出空気ＥＡとして室外に排出される。
【０１０４】
（２−４）強制換気運転
空調換気システム１００では、対象空間ＳＰにおいて冷媒が漏洩した場合に、漏洩した冷媒を室外へ排出すべく強制換気運転が行われる。
【０１０５】
具体的には、冷媒回路ＲＣから冷媒が漏洩し、漏洩した冷媒が対象空間ＳＰに流入すると、冷媒漏洩センサ６０によって係る冷媒漏洩が検出される。コントローラ７０は、冷媒漏洩センサ６０からの信号を受けて、冷媒漏洩が生じていることを検知し、冷媒漏洩センサ６０が冷媒漏洩を検出した対象空間ＳＰに設置される換気装置４０を起動すべく、対応するアダプタユニット５０へ強制換気運転開始信号を送信する。これにより、給気ファン４３及び排気ファン４４が起動する。係る強制換気運転では、給気ファン４３及び排気ファン４４は、例えば、回転数（風量）が最大の状態で駆動を継続する。
【０１０６】
なお、この際、コントローラ７０は、各室内ユニット３０の室内膨張弁３２を最小開度（全閉状態）に制御するとともに室内ファン３３を停止させ、圧縮機２１及び室外ファン２５を停止させる。これにより、冷媒回路ＲＣにおいて冷媒の循環が停止し、更なる冷媒漏洩が抑制される。
【０１０７】
また、コントローラ７０は、冷媒漏洩が生じている旨をユーザに報知すべく、冷媒漏洩が生じていることを示す情報と、冷媒漏洩が生じている対象空間ＳＰを特定する情報と、をリモコン３５に表示させる。
【０１０８】
（３）アダプタユニット５０の詳細
図４は、コントローラ７０と、コントローラ７０に接続される各部を模式的に示すブロック図である。
【０１０９】
アダプタユニット５０は、主として、アダプタユニット記憶部５１と、アダプタユニット通信部５２と、アダプタユニット入力部５３と、アダプタユニット制御部５４と、状態判定部５５と、を有している。
【０１１０】
（３−１）アダプタユニット記憶部５１
アダプタユニット記憶部５１は、ＲＯＭ、ＲＡＭ、及びフラッシュメモリ等で構成されている。アダプタユニット記憶部５１は、各種情報を記憶するための揮発性及び不揮発性の記憶領域を含んでいる。アダプタユニット記憶部５１には、アダプタユニット５０における各部の処理に用いられるプログラムが格納されている。
【０１１１】
また、アダプタユニット記憶部５１は、ユーザやコントローラ７０から運転開始指示が入力されているか否かを判別する運転コマンド判別フラグ５１ａを含んでいる。運転コマンド判別フラグ５１ａは、換気装置４０へ運転開始指示が入力された場合に立てられ、換気装置４０が停止される場合に解除される。
【０１１２】
また、アダプタユニット記憶部５１は、ユーザやコントローラ７０から入力された回転数（風量）を判別する風量判別フラグ５１ｂを含んでいる。風量判別フラグ５１ｂは、給気ファン４３及び排気ファン４４のそれぞれの回転数（風量）を段階的に判別可能なように、所定のビット数を含んでいる。
【０１１３】
（３−２）アダプタユニット通信部５２
アダプタユニット通信部５２は、コントローラ７０及びファン駆動制御部４５から送信された信号を受信して、アダプタユニット記憶部５１の所定の記憶領域に格納する。
【０１１４】
また、アダプタユニット通信部５２は、コントローラ７０から送信された運転開始信号や強制換気運転開始信号を受信すると、運転コマンド判別フラグ５１ａを立てる。
【０１１５】
また、アダプタユニット通信部５２は、コントローラ７０等から送信された回転数を指示する信号を受信すると、当該回転数に対応するように風量判別フラグ５１ｂを設定する。
【０１１６】
また、アダプタユニット通信部５２は、コントローラ７０から送信された強制換気運転開始信号を受信すると、給気ファン４３及び排気ファン４４の最大回転数（最大風量）に対応するように、風量判別フラグ５１ｂを設定する。
【０１１７】
アダプタユニット通信部５２は、他の各部からの依頼を受けて、所定の信号を送信する。例えば、アダプタユニット通信部５２は、アダプタユニット制御部５４からの依頼を受けて、回転数制御信号をファン駆動制御部４５へ送信する。
【０１１８】
（３−３）アダプタユニット入力部５３
アダプタユニット入力部５３は、入力キー（図示省略）等を介してユーザが入力したコマンドを受け付ける部分である。アダプタユニット入力部５３は、ユーザが入力した運転開始指示を受け付けると、運転コマンド判別フラグ５１ａを立てる。また、アダプタユニット入力部５３は、ユーザが入力した回転数（風量）指定指示を受け付けると、指定された回転数（風量）に対応するように風量判別フラグ５１ｂを設定する。
【０１１９】
（３−４）アダプタユニット制御部５４
アダプタユニット制御部５４は、給気ファン４３及び排気ファン４４の発停及び風量を調整すべく、ファン駆動制御部４５へ所定の信号を送信する。
【０１２０】
アダプタユニット制御部５４は、運転コマンド判別フラグ５１ａが立てられると、風量判別フラグ５１ｂを参照し、ファン駆動制御部４５へ回転数制御信号を送信する。これにより、給気ファン４３及び排気ファン４４が指定された回転数（風量）で駆動する。
【０１２１】
また、アダプタユニット制御部５４は、運転コマンド判別フラグ５１ａが解除されると、ファン駆動制御部４５へ運転停止信号を送信する。これにより、給気ファン４３及び排気ファン４４が停止する。
【０１２２】
（３−５）状態判定部５５
図５は、状態判定部５５の処理の流れの一例を示したフローチャートである。
【０１２３】
状態判定部５５は、換気装置４０の動作を正常に制御可能か否か、を判定する機能部である。状態判定部５５は、タイマー機能を有しており、時間を計測可能である。
【０１２４】
状態判定部５５は、電源を投入されると、ファン駆動制御部４５に対して所定時間ｔ１（１０ｓｅｃ）が経過する毎に状態判定を行う（図５のステップＳ１０１及びステップＳ１０２を参照）。
【０１２５】
状態判定部５５は、状態判定の結果、換気装置４０との通信が正常に可能であり、且つ、換気装置４０が機械的に正常に動作する状態にある（すなわち、換気装置４０が正常に動作する）と判定した場合には、状態報知信号を生成し、アダプタユニット通信部５２にコントローラ７０へ向けて送信させる（図５のステップＳ１０３及びＳ１０４を参照）。この際、状態判定部５５は、検知した給気ファン４３及び排気ファン４４の回転数（風量）に関する情報等を含めて状態報知信号を生成する。
【０１２６】
（４）コントローラ７０の詳細
図４に示すように、コントローラ７０は、各アダプタユニット５０（第１アダプタユニット５０ａ及び第２アダプタユニット５０ｂ）と、電気的に接続されている。また、コントローラ７０は、各冷媒漏洩センサ６０（第１冷媒漏洩センサ６０ａ及び第２冷媒漏洩センサ６０ｂ）と電気的に接続されている。また、コントローラ７０は、空調装置１０の各アクチュエータ（圧縮機２１、四路切換弁２２、室外膨張弁２４、室外ファン２５、室内膨張弁３２、及び室内ファン３３等）と、電気的に接続されている。
【０１２７】
コントローラ７０は、主として、記憶部７１と、通信部７２と、入力制御部７３と、グループ設定部７４と、アクチュエータ制御部７５と、運転許可部７６と、強制換気制御部７７と、表示制御部７８と、を有している。
【０１２８】
（４−１）記憶部７１
記憶部７１は、ＲＯＭ、ＲＡＭ、及びフラッシュメモリ等で構成されている。記憶部７１は、各種情報を記憶するための揮発性又は不揮発性の記憶領域を含んでいる。記憶部７１には、コントローラ７０における各部の処理に用いられるプログラムが格納されている。
【０１２９】
記憶部７１には、ユーザによって、入力された運転開始、運転停止、運転モード、設定温度、設定風量、風向き等の設定項目等を特定する情報であるコマンド情報が適宜格納される。
【０１３０】
また、記憶部７１には、グループ制御（後述）に用いられるグルーピングテーブルＴＢ１（後述）が格納される。
【０１３１】
また、記憶部７１は、換気装置４０との通信が正常に可能であり、且つ、換気装置４０が機械的に正常に動作する状態にあるか否か（すなわち、換気装置４０が正常に制御可能か否か）を、換気装置４０毎に判別するための状態判別フラグ７１ａ及び７１ｂを含んでいる。状態判別フラグ７１ａ及び７１ｂは、いずれかのアダプタユニット５０（すなわち、いずれかの換気装置４０）に１対１で対応している。
【０１３２】
具体的に状態判別フラグ７１ａは、第１アダプタユニット５０ａ（すなわち、換気装置４０ａ）に対応しており、換気装置４０ａとの通信が正常に可能であり、且つ、換気装置４０ａが機械的に正常に動作する状態にあるか否か、を判別するためのフラグである。状態判別フラグ７１ｂは、第２アダプタユニット５０ｂ（すなわち、換気装置４０ｂ）に対応しており、換気装置４０ｂとの通信が正常に可能であり、且つ、換気装置４０ｂが機械的に正常に動作する状態にあるか否か、を判別するためのフラグである。
【０１３３】
状態判別フラグ７１ａ及び７１ｂは、コントローラ７０が状態報知信号を受信すると立てられ、前回の状態報知信号を受信してから所定時間ｔ２以上、新たな状態報知信号を受信しない場合には解除される。すなわち、コントローラ７０は、アダプタユニット５０からの状態報知信号を受信しない場合、又は前回の状態報知信号から所定時間ｔ２以上新たな状態報知信号を受信しない場合には、アダプタユニット５０及び換気装置４０間の通信、若しくはコントローラ７０及びアダプタユニット５０間の通信が正常に行えない状態にある、又は換気装置４０が機械的に正常に動作しない状態にある、と判断して、状態判別フラグを立てない又は解除する。なお、本実施形態において、所定時間ｔ２は、３ｍｉｎに設定されている。
【０１３４】
また、記憶部７１は、各冷媒漏洩センサ６０の検出結果（すなわち、各対象空間ＳＰにおける冷媒漏洩の有無）を個別に判別するための冷媒漏洩判別フラグＦａ及びＦｂを含んでいる。冷媒漏洩判別フラグＦａ及びＦｂは、いずれかの冷媒漏洩センサ６０に１対１で対応している。具体的に冷媒漏洩判別フラグＦａは、第１冷媒漏洩センサ６０ａに対応している。冷媒漏洩判別フラグＦｂは第２冷媒漏洩センサ６０ｂに対応している。冷媒漏洩判別フラグＦａ及びＦｂは、対応する冷媒漏洩センサ６０から冷媒漏洩信号を受信した場合（すなわち、対応する冷媒漏洩センサ６０が設置される対象空間ＳＰにおいて冷媒漏洩が生じた場合）に立てられる。
【０１３５】
また、記憶部７１は、室内ユニット３０の運転が運転許可部７６によって許可されているか否かを、後述するグループ毎に識別する運転可否判別フラグ（Ｇ１及びＧ２）が、グループの数（ここでは２つ）に対応して設けられている。
【０１３６】
運転可否判別フラグＧ１はグループ１（後述）に対応しており、運転可否判別フラグＧ２はグループ２（後述）に対応している。運転可否判別フラグＧ１が立てられていない時にはグループ１に所属する室内ユニット３０（３０ａ及び３０ｂ）の運転が禁止された状態を示しており、立てられている時には当該室内ユニット３０の運転が許可された状態を示している。また、運転可否判別フラグＧ２が立てられていない時にはグループ２に所属する室内ユニット３０（３０ｃ及び３０ｄ）の運転が禁止された状態を示しており、立てられている時には当該室内ユニット３０の運転が許可された状態を示している。
【０１３７】
（４−２）通信部７２
通信部７２は、他の各部（アダプタユニット５０、リモコン３５、又はアクチュエータやセンサ等）から送信された信号を受信して、記憶部７１の所定の記憶領域に格納する。また、通信部７２は、ファン駆動制御部４５から状態報知信号を受信すると、送信元のアダプタユニット５０に対応する状態判別フラグ（７１ａ又は７１ｂ）を立てる。また、通信部７２は、冷媒漏洩センサ６０から冷媒漏洩信号を受信した場合、対応する冷媒漏洩判別フラグ（Ｆａ又はＦｂ）を立てる。
【０１３８】
（４−３）入力制御部７３
入力制御部７３は、ユーザのコマンドを受け付けて、コマンドに対応する処理を実行し、処理結果を記憶部７１の所定の記憶領域に格納する。
【０１３９】
例えば、入力制御部７３は、ユーザによって、運転開始、運転停止、運転モード、設定温度、設定風量、風向き等の設定項目等が新たに入力された時は、入力された指示を特定するコマンド情報を記憶部７１に格納する。
【０１４０】
（４−４）グループ設定部７４
また、グループ設定部７４は、ユーザによって、グルーピング設定が行われたときは、当該グルーピング設定に基づいたテーブル（以下、「グルーピングテーブルＴＢ１」と記載）を作成して記憶部７１に格納する。
【０１４１】
なお、グルーピング設定とは、空調換気システム１００に含まれている機器（具体的には室内ユニット３０、換気装置４０、冷媒漏洩センサ６０）をグループ分けして登録する処理である。係るグルーピング設定は、グループ毎に運転状態を統括的に制御するグループ制御を実行するために行われる。
【０１４２】
図６は、グルーピングテーブルＴＢ１の一例を示した模式図である。図６では、機器ごとに、固有の識別情報である変数「ユニット番号」と、所属するグループを特定する情報である変数「グループ番号」と、機器の種類を特定する情報である変数「機種コード」が、個別に定義されている。
【０１４３】
例えば、室内ユニット３０ａは、ユニット番号の値が「１」と定義されている。また、他の機器のユニット番号の値については、室内ユニット３０ｂは「２」、室内ユニット３０ｃは「３」、室内ユニット３０ｄは「４」、換気装置４０ａは「５」、換気装置４０ｂは「６」、第１冷媒漏洩センサ６０ａは「７」、第２冷媒漏洩センサ６０ｂは「８」、とそれぞれ定義されている。
【０１４４】
また、室内ユニット３０ａは、グループ番号の値が「１」と定義されている。また、他の機器のグループ番号の値については、室内ユニット３０ｂは「１」、室内ユニット３０ｃは「２」、室内ユニット３０ｄは「２」、換気装置４０ａは「１」、換気装置４０ｂは「２」、第１冷媒漏洩センサ６０ａは「１」、第２冷媒漏洩センサ６０ｂは「２」、とそれぞれ定義されている。すなわち、図６に示すグルーピングテーブルＴＢ１においては、対象空間ＳＰ１に設置されている室内ユニット３０ａ、室内ユニット３０ｂ、換気装置４０ａ、及び第１冷媒漏洩センサ６０ａが、同一グループ（グループ１）に所属していることが示されている。また、対象空間ＳＰ２に設置されている室内ユニット３０ｃ、室内ユニット３０ｄ、換気装置４０ｂ、及び第２冷媒漏洩センサ６０ｂが同一グループ（グループ２）に所属していることが示されている。
【０１４５】
また、室内ユニット３０ａ、室内ユニット３０ｂ、室内ユニット３０ｃ、及び室内ユニット３０ｄについては、機種コードの値が、室内ユニットであることを示す「１」と定義されている。また、換気装置４０ａ及び４０ｂについては、機種コードの値が、換気装置４０であることを示す「２」と定義されている。また、第１冷媒漏洩センサ６０ａ及び第２冷媒漏洩センサ６０ｂについては、機種コードの値が、冷媒漏洩センサ６０であることを示す「３」と定義されている。
【０１４６】
入力制御部７３は、ユーザによって新たにグルーピング設定が行われた時には、グルーピングテーブルＴＢ１を適宜更新する。これにより、空調換気システム１００では、複数の室内ユニット３０及び換気装置４０の動作を統括的に制御し、同一の対象空間ＳＰに設置された室内ユニット３０と換気装置４０とを連動させること（すなわち、グループ制御）が可能となっている。
【０１４７】
なお、本実施形態では、室内ユニット３０ａがグループ１の親機に設定されており、室内ユニット３０ｃがグループ２の親機に設定されている。
【０１４８】
（４−５）アクチュエータ制御部７５
アクチュエータ制御部７５は、制御プログラムに沿って、空調装置１０に含まれる各アクチュエータ（例えば圧縮機２１、四路切換弁２２、室外膨張弁２４、室外ファン２５、室内膨張弁３２、及び室内ファン３３等）の動作を、状況に応じて個別に制御する。
【０１４９】
また、アクチュエータ制御部７５は、グループ制御が要求される場合には、記憶部７１に格納されているグルーピングテーブルＴＢ１に基づいて、空調換気システム１００に含まれる機器の運転状態をグループ毎に統括的に制御するグループ制御を実行する。グループ制御が要求される場合とは、ユーザによってグループ毎の運転状態の切換えコマンドが入力される場合等である。
【０１５０】
アクチュエータ制御部７５は、冷媒漏洩判別フラグＦａ及びＦｂを適宜参照し、冷媒漏洩判別フラグＦａ又はＦｂが立てられた状態にある時には、室内ファン３３を最大回転数で駆動させるとともに、空調装置１０に含まれるその他のアクチュエータを運転停止状態に制御する。具体的には、アクチュエータ制御部７５は、室内膨張弁３２を最小開度（全閉）に制御するとともに、圧縮機２１及び室外ファン２５の駆動を停止させる。
【０１５１】
なお、このように冷媒漏洩が生じた際に室内ファン３３を最大回転数で駆動させるのは、対象空間ＳＰにおいて漏洩した冷媒を攪拌し、冷媒濃度が高まることを抑制するためである。また、室内膨張弁３２を最小開度（全閉）に制御するとともに、圧縮機２１及び室外ファン２５の駆動を停止させるのは、更なる冷媒回路ＲＣにおける冷媒の循環を停止させて、更なる冷媒漏洩を抑制するためである。
【０１５２】
また、アクチュエータ制御部７５は、運転可否判別フラグＧ１及びＧ２を適宜参照し、運転可否判別フラグＧ１又はＧ２が立てられていない時には、対応するグループに所属する室内ユニット３０を運転停止状態に制御する。例えば、運転可否判別フラグＧ１が立てられていない時には、グループ１に所属する室内ユニット３０ａ及び３０ｂを運転停止状態に制御する。また、運転可否判別フラグＧ２が立てられていない時には、グループ２に所属する室内ユニット３０ｃ及び３０ｄを運転停止状態に制御する。
【０１５３】
なお、室内ユニット３０の「運転停止状態」とは、室内膨張弁３２が最小開度（全閉）に制御されるとともに、室内ファン３３の駆動が停止された状態である。また、室内ユニット３０を「運転停止状態に制御する」には、室内ユニット３０が停止状態にある場合に運転開始信号が入力されても運転を開始させないことや、室内ユニット３０が運転状態にある場合に運転停止信号が入力されていなくても運転を停止させることが含まれる。
【０１５４】
（４−６）運転許可部７６
運転許可部７６は、グループ毎に室内ユニット３０の運転を許可するか否かを決定する機能部である。運転許可部７６は、記憶部７１の状態判別フラグ７１ａ及び７１ｂを参照し、状態判別フラグ７１ａ及び７１ｂの状態に基づいて室内ユニット３０の運転を許可するか否かを決定し、状況に応じて運転可否判別フラグＧ１又はＧ２を立てる。
【０１５５】
例えば、運転許可部７６は、状態判別フラグ７１ａが立てられていない場合には、グループ１に所属する室内ユニット３０ａ及び３０ｂの運転を禁止すべく、運転可否判別フラグＧ１を立てない又は解除する。また、運転許可部７６は、状態判別フラグ７１ｂが立てられていない場合には、グループ２に所属する室内ユニット３０ｃ及び３０ｄの運転を禁止すべく、運転可否判別フラグＧ２を立てない又は解除する。
【０１５６】
（４−７）強制換気制御部７７
強制換気制御部７７は、対象空間ＳＰにおいて冷媒漏洩が生じた際に、当該対象空間ＳＰに設置されている換気装置４０を強制的に駆動させる機能部である。
【０１５７】
強制換気制御部７７は、冷媒漏洩判別フラグＦａ及びＦｂを適宜参照し、冷媒漏洩判別フラグＦａ又はＦｂが立てられると、対応するアダプタユニット５０に対して強制換気信号を送信する。
【０１５８】
具体的には、強制換気制御部７７の処理においては、冷媒漏洩判別フラグＦａと第１アダプタユニット５０ａとが対応づけられており、冷媒漏洩判別フラグＦａが立てられると、強制換気制御部７７は第１アダプタユニット５０ａへ強制換気信号を送信する。その結果、対象空間ＳＰ１において冷媒漏洩が生じた際には、換気装置４０ａの給気ファン４３及び排気ファン４４が最大回転数（最大風量）で駆動する（すなわち、強制換気運転が行われる）。
【０１５９】
また、強制換気制御部７７の処理においては、冷媒漏洩判別フラグＦｂと第２アダプタユニット５０ｂとが対応づけられており、冷媒漏洩判別フラグＦｂが立てられると、強制換気制御部７７は第２アダプタユニット５０ｂへ強制換気信号を送信する。その結果、対象空間ＳＰ２において冷媒漏洩が生じた際には、換気装置４０ｂの給気ファン４３及び排気ファン４４が最大回転数（最大風量）で駆動する（すなわち、強制換気運転が行われる）。
【０１６０】
（４−８）表示制御部７８
表示制御部７８は、状況に応じて、ユーザに対して表示する表示情報を生成して、対応する機器（リモコン３５又は集中管理機器３８）において表示させる。
【０１６１】
例えば、表示制御部７８は、空調装置１０が運転状態にある場合には、駆動している室内ユニット３０の運転情報（設定温度、設定風量、又は風向き等）を表示させる表示情報を生成して対応するリモコン３５に表示させる。
【０１６２】
また、表示制御部７８は、運転可否判別フラグＧ１及びＧ２を適宜参照し、運転可否判別フラグＧ１及びＧ２の状態に応じた表示情報を生成する。例えば、表示制御部７８は、運転可否判別フラグＧ１が立てられていない時には、グループ１の室内ユニット３０の運転が禁止されている旨を示す表示情報を生成してリモコン３５ａ及び集中管理機器３８に表示させる。また、表示制御部７８は、運転可否判別フラグＧ２が立てられていない時には、グループ２の室内ユニット３０の運転が禁止されている旨を示す表示情報を生成してリモコン３５ｂに表示させる。
【０１６３】
また、表示制御部７８は、状態判別フラグ７１ａ及び７１ｂを適宜参照し、状態判別フラグ７１ａ及び７１ｂの状態に応じた表示情報を生成する。例えば、表示制御部７８は、状態判別フラグ７１ａが立てられていない時には、グループ１（対象空間ＳＰ１）において換気装置４０ａが正常に制御できない状態にある（すなわち、換気装置４０ａとの通信が正常に行えない、又は換気装置４０ａが正常に動作しない）ことを示す表示情報、を生成してリモコン３５ａ及び集中管理機器３８に表示させる。また、表示制御部７８は、状態判別フラグ７１ｂが立てられていない時には、グループ２（対象空間ＳＰ２）において換気装置４０ｂが正常に制御できない状態にある（すなわち、換気装置４０ｂとの通信が正常に行えない、又は換気装置４０ｂが正常に動作しない）ことを示す表示情報、を生成してリモコン３５ｂ及び集中管理機器３８に表示させる。
【０１６４】
また、表示制御部７８は、冷媒漏洩判別フラグＦａ及びＦｂを適宜参照し、冷媒漏洩判別フラグＦａ又はＦｂの状態に応じた表示情報を生成する。例えば、表示制御部７８は、冷媒漏洩判別フラグＦａが立てられた時には、対象空間ＳＰ１において冷媒漏洩が生じている旨を示す表示情報を生成してリモコン３５ａ及び集中管理機器３８に表示させる。また、表示制御部７８は、冷媒漏洩判別フラグＦｂが立てられた時には、対象空間ＳＰ２において冷媒漏洩が生じている旨を示す表示情報を生成してリモコン３５ｂ及び集中管理機器３８に表示させる。
【０１６５】
（５）コントローラ７０の処理の流れ
図７は、コントローラ７０の処理の流れの一例を示したフローチャートである。
【０１６６】
コントローラ７０は、例えば以下のような流れで制御を実行する。なお、以下の処理の流れは、一例であり、適宜変更が可能である。
【０１６７】
ステップＳ２０１において、コントローラ７０は、ユーザによってグルーピング設定が入力されたか否かを判定する。当該判定がＮＯの場合（すなわちユーザによってグルーピング設定が入力されない場合）、ステップＳ２０３へ進む。一方、当該判定がＹＥＳの場合（すなわちユーザによってグルーピング設定が入力された場合）、ステップＳ２０２へ進む。
【０１６８】
ステップＳ２０２において、コントローラ７０は、入力されたユーザのグルーピング設定に基づき、グルーピングテーブルＴＢ１を生成（又は更新）する。その後ステップＳ２０３へ進む。
【０１６９】
ステップＳ２０３において、コントローラ７０は、冷媒漏洩が生じていないか否かを判定する。当該判定がＮＯの場合（すなわち冷媒漏洩が生じている場合）、ステップＳ２０４へ進む。一方、当該判定がＹＥＳの場合（すなわち冷媒漏洩が生じていない場合）、ステップＳ２０５へ進む。
【０１７０】
ステップＳ２０４において、コントローラ７０は、冷媒漏洩が生じた対象空間ＳＰの室内ユニット３０の室内ファン３３を最大回転数（最大風量）で運転させる。また、コントローラ７０は、空調装置１０のその他のアクチュエータを停止状態に制御する。また、コントローラ７０は、強制換気運転開始信号を対応するアダプタユニット５０へ送信して、冷媒漏洩が生じている対象空間ＳＰにおいて設置されている換気装置４０を最大回転数（最大風量）で運転させる。また、コントローラ７０は、冷媒漏洩が生じている旨をリモコン３５及び集中管理機器３８に表示させる。その後、ユーザによって解除されるまで当該状態を継続する。
【０１７１】
ステップＳ２０５において、コントローラ７０は、状態報知信号を正常に受信しているか否かを判定する。当該判定がＮＯの場合（すなわち状態報知信号を１度も受信していない場合、又は状態報知信号を受信してから所定時間ｔ２以上新たな状態報知信号を受信しない場合）、ステップＳ２０６へ進む。一方、当該判定がＹＥＳの場合（すなわち状態報知信号を正常に受信した場合）、ステップＳ２０７へ進む。
【０１７２】
ステップＳ２０６において、コントローラ７０は、状態報知信号を正常に送信されていないアダプタユニット５０が設置されている対象空間ＳＰ（すなわち、換気装置４０を正常に制御できない状態にある対象空間ＳＰ）の、室内ユニット３０の運転を禁止する（すなわち、停止状態にある室内ユニット３０については運転を開始させず、運転状態にある室内ユニット３０については運転を停止させる）。また、コントローラ７０は、換気装置４０を正常に制御できない状態にある対象空間ＳＰを特定する情報、及び当該対象空間ＳＰにおいて室内ユニット３０の運転が禁止される旨を示す情報、をリモコン３５及び集中管理機器３８に表示させる。その後、ステップＳ２０７へ進む。
【０１７３】
ステップＳ２０７において、コントローラ７０は、運転コマンドが入力されたか否か（すなわち、運転開始指示、運転停止指示、設定温度指定、設定風量指定、及び風向指定等の設定項目が入力されたか否か）を判定する。当該判定がＮＯの場合（すなわち運転コマンドが入力されていない場合）、ステップＳ２０１に戻る。一方、当該判定がＹＥＳの場合（すなわち運転コマンドが入力された場合）、ステップＳ２０８へ進む。
【０１７４】
ステップＳ２０８において、コントローラ７０は、入力された運転コマンドが、換気装置４０を正常に制御できない状態にある対象空間ＳＰに設置されている室内ユニット３０、に関する運転コマンドか否か（すなわち、通信が正常に可能な対象空間ＳＰに関する運転コマンドか否か）を判定する。当該判定がＮＯの場合（すなわち換気装置４０を正常に制御できない状態にある対象空間ＳＰに関する運転コマンドである場合）、ステップＳ２０１に戻る。一方、当該判定がＹＥＳの場合（すなわち、換気装置４０を正常に制御できる状態にある対象空間ＳＰに関する運転コマンドである場合、ステップＳ２０９へ進む。
【０１７５】
ステップＳ２０９において、コントローラ７０は、入力された運転コマンドに対応する処理を実行する。その後、ステップＳ２０１に戻る。
【０１７６】
（６）空調換気システム１００における処理
図８は、コントローラ７０、アダプタユニット５０（５０ａ又は５０ｂ）、及び換気装置４０（４０ａ又は４０ｂ）において行われる処理の一例を模式的に示したシーケンス図である。
【０１７７】
図８のＳ１の期間に示すように、空調換気システム１００では、アダプタユニット５０は、定期的（所定時間ｔ１経過毎）に状態判定を行う。アダプタユニット５０は、状態判定の結果、換気装置４０を正常に制御可能な状態にあると判定した場合には、状態報知信号をコントローラ７０へ送信する。コントローラ７０は、状態報知信号を受けて、送信元のアダプタユニット５０が設置される対象空間ＳＰは換気装置４０を正常に制御可能な状態にあることを把握し、当該対象空間ＳＰにおいて室内ユニット３０の運転を許可する（すなわち、当該室内ユニット３０が所属するグループに対応する運転可否判別フラグを立てる）。
【０１７８】
図８のＳ２の期間に示すように、空調換気システム１００では、コントローラ７０がアダプタユニット５０から状態報知信号を受信してから、新たな状態報知信号を受信しない状態が所定時間ｔ２（ここでは３０ｓｅｃ）以上継続した場合、新たな状態報知信号を送信されていないアダプタユニット５０が設置されている対象空間ＳＰ、における室内ユニット３０の運転を禁止する（すなわち、当該室内ユニット３０が所属するグループに対応する運転可否判別フラグを立てない又は解除する）。図８のＳ２では、換気装置４０を正常に制御可能な状態ではない（換気装置４０がアダプタユニット５０の指令に対して正常に応答しない）ことに伴って、状態報知信号がコントローラ７０へ送信されない様子が示されている。
【０１７９】
図８のＳ３の期間に示すように、空調換気システム１００では、冷媒漏洩センサ６０（６０ａ又は６０ｂ）から冷媒漏洩信号がコントローラ７０へ送信されると、コントローラ７０は、冷媒漏洩信号の送信元の冷媒漏洩センサ６０が設置されている対象空間ＳＰ（すなわち、冷媒漏洩が生じている対象空間ＳＰ）において、室内ファン３３を最大回転数で駆動させる。また、空調装置１０のその他のアクチュエータの駆動を停止させ、冷媒の循環を停止させる。また、コントローラ７０は、強制換気信号をアダプタユニット５０へ送信する。強制換気信号を受信したアダプタユニット５０は、（回転数を最大に指定した）回転数制御信号を換気装置４０へ送信する。その結果、換気装置４０が給気ファン４３及び排気ファン４４の双方が回転数最大（最大風量）で駆動し、冷媒漏洩が生じている対象空間ＳＰにおいて、換気が行われる。また、コントローラ７０は、リモコン３５及び集中管理機器３８に表示させて、冷媒漏洩が生じている旨をユーザに報知する。このような状態が、ユーザやサービスマンによって解除されるまで継続する。
【０１８０】
（７）空調換気システム１００の特徴
（７−１）
空調換気システム１００では、アダプタユニット５０は、換気装置４０を正常に制御可能な状態にあることを示す状態報知信号を、コントローラ７０へ定期的に送信している。すなわち、アダプタユニット５０は、換気装置４０の動作を制御可能な状態において定期的にコントローラ７０へ状態報知信号を送信している。また、コントローラ７０は、状態報知信号を受信しない場合には、状態報知信号を正常に送信されていないアダプタユニット５０が設置された対象空間ＳＰ（すなわち、換気装置４０の動作を正常に制御できない対象空間ＳＰ）において室内ユニット３０（空調装置１０）の運転を禁止している（すなわち運転を開始させない又は運転を停止させるように制御している）。
【０１８１】
これにより、対象空間ＳＰにおいて換気装置４０が適正に設置されていない場合や、換気装置４０との通信が正常に行われない場合、また、換気装置４０が機械的に正常に動作しない場合には、コントローラ７０へ状態報知信号が送信されない。その結果、対象空間ＳＰにおいて換気装置４０が空調装置１０とは独立して設置されるか否かに関わらず、換気装置４０の動作を制御可能な場合に限って空調装置１０の運転が行われるようになっている。すなわち、冷媒漏洩が生じた際に確実に換気が行われると想定されない状況においては、空調装置１０の運転がなされないようになっている。よって、冷媒漏洩に対する保安性が確実に担保されている。
【０１８２】
特に、ここでは、冷媒回路ＲＣに封入される冷媒が微燃性、燃焼性又は毒性を有するため、冷媒が対象空間ＳＰに漏洩した際に換気装置４０が運転される等の対策がなされなければ、可燃濃度又は毒性限界濃度を超えてしまい、着火事故や中毒事故が発生するおそれがある。しかし、上記実施形態では、室内マルチ型の空調装置１０を設置するにあたり、設置現場において、冷媒が漏洩した際に換気装置４０の運転により換気が行われることが確実な状態に限って空調装置１０の運転が行われるため、冷媒の漏洩による着火事故や中毒事故の発生を確実に抑制できるようになっている。
【０１８３】
（７−２）
空調換気システム１００では、アダプタユニット５０は、給気ファン４３、排気ファン４４、駆動部（給気ファンモータ４３ａ及び排気ファンモータ４４ａ）、及び本体フレーム４１を含む換気装置４０とは、とは別体として構成されている。このようにアダプタユニット５０が換気装置４０とは別体として構成されていることにより、施工後の空調換気システムにおいても、アダプタユニット５０を新たに付加することで、適用できるように構成されている。その結果、汎用性が向上しており、施工後の空調換気システムにおいても保安性を確実に担保できるようになっている。
【０１８４】
（７−３）
空調換気システム１００では、換気装置４０は、給気ファン４３及び排気ファン４４の駆動電圧を供給するファン駆動制御部４５と、アダプタユニット５０と電気的に接続される接続端子４５１と、を有し、ファン駆動制御部４５は接続端子４５１を介して入力された制御信号（回転数制御信号）に基づいて駆動電圧を供給する。これにより、施工後の空調換気システムにおいて、容易に、アダプタユニット５０を追加的に設置できるようになっている。
【０１８５】
（７−４）
空調換気システム１００では、コントローラ７０はアダプタユニット５０へ信号（例えば強制換気運転開始信号など）を送信し、アダプタユニット５０は受信した信号に基づき換気装置４０の動作を制御している。このように構成したことにより、既存の空調装置１０の伝送路を用いて遠隔的に換気装置４０の動作を制御できるようになっており、コストを抑制しつつ保安性を確保できるようになっている。
【０１８６】
（７−５）
空調換気システム１００では、コントローラ７０は、信号を送信することで、換気装置４０の動作を、換気装置４０に関連づけられた室内ユニット３０の動作と連動するように制御（グループ制御）している。これにより、状況に応じて、換気装置４０を、空調装置１０の動作に連動して運転させることが可能となっており、利便性が向上している。
【０１８７】
（７−６）
空調換気システム１００では、コントローラ７０が、複数の室内ユニット３０及び複数の換気装置４０を、各機器が設置される対象空間ＳＰに基づき、グループに振り分け、グループ毎に室内ユニット３０及び換気装置４０を一括制御（グループ制御）できるように構成されている。これにより、室内ユニット３０と換気装置４０とを統括的に制御することが可能となっており、利便性が向上している。
【０１８８】
また、複数の室内ユニット３０を有する室内マルチ型の空調装置１０と、換気装置４０と、が独立して設置される構成においても保安性が確実に担保されるようになっている。
【０１８９】
（７−７）
空調換気システム１００では、コントローラ７０とアダプタユニット５０とが、通信線ＣＢ１又はＣＢ２（すなわち、室内ユニット３０とリモコン３５とを結ぶ通信線）により電気的に接続されることで、状態報知信号の伝送路（すなわち、ネットワークＮＷ）が構成されている。このように、対象空間ＳＰにおいて既存の空調装置１０の通信線を用いて通信ネットワークが構築されており、通信ネットワークの構築に係るコストが抑制されている。
【０１９０】
（８）変形例
上記実施形態は、以下の変形例に示すように適宜変形が可能である。なお、各変形例は、矛盾が生じない範囲で他の変形例と組み合わせて適用されてもよい。
【０１９１】
（８−１）変形例Ａ
上記実施形態では、対象空間ＳＰが２つ（ＳＰ１及びＳＰ２）の場合について説明した。しかし、対象空間ＳＰは３つ以上あってもよく、１つであってもよい。
【０１９２】
また、対象空間ＳＰには、２台の室内ユニット３０と１台の換気装置４０が設置されていた。しかし、対象空間ＳＰに設置される室内ユニット３０の台数は１台であってもよく、３台以上であってもよい。また、対象空間ＳＰに設置される換気装置４０の台数は、２台以上であってもよい。係る場合、アダプタユニット５０は、換気装置４０の台数に応じて適宜設置されればよい。
【０１９３】
（８−２）変形例Ｂ
上記実施形態では、換気装置４０は、２つの換気ファン（給気ファン４３及び排気ファン４４）を有していた。しかし、換気装置４０は、必ずしも２つの換気ファンを有している必要はない。すなわち、換気装置４０は、１つの換気ファンのみを有するものであってもよい。係る場合、本体フレーム４１内の空気流路（給気流路４１ａ及び排気流路４１ｂ）については、一方を省略すればよい。
【０１９４】
また、換気装置４０は、熱交換器４２を含んでいたが、熱交換器４２については必ずしも必要ではなく、適宜省略可能である。
【０１９５】
また、換気ファンとしてシロッコファンが採用されたが、例えばプロペラファン等の他のファンが換気ファンとして採用されてもよい。
【０１９６】
また、換気装置４０は、必ずしも対象空間ＳＰの天井裏空間に設置される必要はなく、対象空間ＳＰの換気が可能である限り、設置態様について特に限定されない。例えば、換気装置４０は、対象空間ＳＰの壁裏や床下に設置されてもよい。また、換気装置４０は、対象空間ＳＰとダクト等で連通する機械室等に設置されてもよい。
【０１９７】
（８−３）変形例Ｃ
上記実施形態では、換気装置４０は、インバータを含むファン駆動制御部４５を有していた。しかし、換気装置４０において、ファン駆動制御部４５は、インバータを必ずしも含む必要はない。すなわち、換気ファンの回転数を調整不可のものが、換気装置４０として採用されてもよい。係る場合、回転数制御信号は、換気装置４０の発停を切り換える信号となる。
【０１９８】
（８−４）変形例Ｄ
上記実施形態の空調換気システム１００は、図９に示す空調換気システム２００のように構成してもよい。以下、空調換気システム２００について説明する。なお、空調換気システム１００と共通する部分については説明を省略する。
【０１９９】
空調換気システム２００では、換気装置４０（４０ａ及び４０ｂ）に代えて換気装置８０（８０ａ及び８０ｂ）が配置され、アダプタユニット５０（５０ａ及び５０ｂ）に代えてアダプタユニット９０（９０ａ及び９０ｂ）が配置されている。
【０２００】
換気装置８０は、１つの換気ファン８１と、換気ファン８１の駆動部に相当する換気ファンモータ８１ａと、を有している。また、換気ファン８１は、換気ファンモータ８１ａの駆動回路８２（ファン駆動制御部）を有している。
【０２０１】
アダプタユニット９０は、商用電源５及び換気装置８０の間に配置され、商用電源５及び換気装置８０と直列に接続されている。すなわち、アダプタユニット９０は、商用電源５と換気装置８０とを結ぶ電源供給ライン上に配置されている。
【０２０２】
アダプタユニット９０は、商用電源５から換気ファンモータ８１ａへ供給される電源を遮断する切換部９１を有している。切換部９１は、トランジスタ等の半導体スイッチや、電磁リレー等である。また、アダプタユニット９０は、切換部９１へ駆動電圧を供給して切換部９１の開閉を切り換える切換制御部９２を有している。
【０２０３】
空調換気システム２００では、アダプタユニット９０において切換部９１の状態が切り換えられることにより、換気装置８０への電源供給ラインの導通及び遮断が切り換えられるとともに換気ファン８１の発停が切り換えられる。具体的に、アダプタユニット９０は、ユーザ又はコントローラ７０から換気運転を開始するコマンドを入力された場合、及びコントローラ７０から強制換気運転開始信号を受信した場合、切換部９１を閉状態に制御して換気ファン８１を駆動させる。
【０２０４】
このような空調換気システム２００による場合、施工後の空調換気システムにおいて、換気制御部としてのアダプタユニット９０を新たに付加することがさらに容易となる。すなわち、換気装置４０のような接続端子４５１を有していない換気装置８０においても適用可能となり、施工後の空調換気システムにおいて、換気装置の型式に限定されることなく換気制御部としてのアダプタユニット９０を新たに付加することが容易となる。よって、汎用性がさらに向上する。
【０２０５】
なお、空調換気システム２００では、アダプタユニット９０の切換部９１が、商用電源５及び駆動回路８２の間に配置されているが、駆動回路８２及び換気ファンモータ８１ａの間において駆動回路８２及び換気ファンモータ８１ａと直列に配置されてもよい。
【０２０６】
（８−５）変形例Ｅ
上記実施形態の空調換気システム１００は、図１０に示す空調換気システム３００のように構成してもよい。
【０２０７】
空調換気システム３００では、室内ユニット制御部３４（コントローラ７０）と、アダプタユニット５０と、が通信線で接続されておらず、電波又は赤外線を用いたいわゆる無線通信によって信号の送受信を行っている。その他の部分については、空調換気システム１００と略同一である。
【０２０８】
このような空調換気システム３００による場合、対象空間ＳＰにおいて室内ユニット制御部３４とアダプタユニット５０とを接続する通信線を取り回す必要がないため、ネットワークＮＷを構築することが容易である。
【０２０９】
（８−６）変形例Ｆ
上記実施形態では、所定時間ｔ１は１ｍｉｎに設定され、所定時間ｔ２は３ｍｉｎに設定されていた。しかし、所定時間ｔ１及びｔ２は必ずしもこれに限定されず、適宜変更が可能である。例えば、所定時間ｔ１は、３０ｓｅｃに設定されてもよいし１０ｍｉｎに設定されてもよい。また、所定時間ｔ２は、１．５ｍｉｎに設定されてもよいし３０ｍｉｎに設定されてもよい。
【０２１０】
（８−７）変形例Ｇ
上記実施形態では、換気装置４０の発停や回転数を切り換える独立したリモコンは設置されていなかったが、係るリモコンを別に設置してもよい。また、このようなリモコンに関する機能をアダプタユニット５０に設けてもよい。
【０２１１】
（８−８）変形例Ｈ
上記実施形態では、対象空間ＳＰにおいて１つの冷媒漏洩センサ６０が設置されていた。しかし、これに限定されず、対象空間ＳＰに２つ以上の冷媒漏洩センサ６０を配置してもよい。
【０２１２】
また、冷媒漏洩センサ６０は、対象空間ＳＰにおける冷媒漏洩を検出可能な位置に配置される限り、配置態様については特に限定されない。例えば、冷媒漏洩センサ６０は、室内ユニット３０に配置されてもよく、リモコン３５に配置されてもよく、換気装置４０に配置されてもよく、またアダプタユニット５０に配置されてもよい。
【０２１３】
（８−９）変形例Ｉ
上記実施形態では、アダプタユニット５０は、対象空間ＳＰに独立して配置された。しかし、アダプタユニット５０は、換気装置４０及びコントローラ７０と通信可能である限り、配置態様については特に限定されない。例えば、アダプタユニット５０は、室外ユニット２０内に配置されてもよく、室内ユニット３０内に配置されてもよく、リモコン３５内に配置されてもよく集中管理機器３８内に配置されてもよく、また換気装置４０内に配置されてもよい。
【０２１４】
また、アダプタユニット５０は、対象空間ＳＰから離れた遠隔地において独立して配置されてもよい。係る場合、アダプタユニット５０は、換気装置４０及びコントローラ７０とＬＡＮやＷＡＮ等のネットワークで接続されればよい。
【０２１５】
（８−１０）変形例Ｊ
上記実施形態では、グルーピングテーブルＴＢ１において、２つのグループ（グループ１及びグループ２）が構成され、各グループに、２台の室内ユニット３０と、１台の換気装置４０と、１つの冷媒漏洩センサ６０と、が含まれていた。しかし、グルーピングテーブルＴＢ１において構成されるグループの数は特に限定されず、１つであってもよいし、３つ以上であってもよい。また、グループに含まれる室内ユニット３０、換気装置４０、冷媒漏洩センサ６０の数は、特に限定されず、適宜変更が可能である。
【０２１６】
（８−１１）変形例Ｋ
上記実施形態では、空調装置１０及び換気装置４０が既に設置されている対象空間ＳＰにおいて、アダプタユニット５０を追加的に設置することで、空調換気システム１００が構成される場合について説明した。しかし、これに限定されず、対象空間ＳＰに空調装置１０及び換気装置４０を新規に設置する際に、アダプタユニット５０も併せて設置して、空調換気システム１００を構成してもよいことはもちろんである。
【０２１７】
（８−１２）変形例Ｌ
上記実施形態では、アダプタユニット５０は、状態判定において、駆動指令又は回転数制御信号に対する換気装置４０の動作が正常であるか否か（すなわち、停止状態にある場合に駆動指令を受けて正常に駆動するか否か、或いは給気ファン４３又は排気ファン４４の回転数が送信した直近の回転数制御信号と合致するか否か）によって、換気装置４０を正常に制御可能であるか否かを判定していた。
【０２１８】
しかし、これに限定されず、アダプタユニット５０は、状態判定に係る処理として、定期的に換気装置４０へ伝送信号を送信し、当該伝送信号に対する換気装置４０の応答がある場合に換気装置４０との通信が正常に可能であると判定し、伝送信号を所定回数（例えば３回）送信しても当該伝送信号に対する換気装置４０の応答がない場合に換気装置４０との通信が正常に可能でない（すなわち、換気装置４０を正常に制御できない）状態にあると判定するように構成してもよい。
【０２１９】
また、換気装置４０に温度センサ（図示省略）等のセンサが配置されている場合には、アダプタユニット５０が当該センサの検出結果を正常に受信可能な場合に換気装置４０との通信が正常に可能であると判定し、正常に受信できない場合に換気装置４０との通信が正常に可能でない（すなわち、換気装置４０を正常に制御できない）状態にあると判定するように構成してもよい。
【０２２０】
（８−１３）変形例Ｍ
上記実施形態では、コントローラ７０は、グループ設定部７４を含み、空調換気システム１００に含まれる機器（室内ユニット３０及び換気装置４０等）に関し、グループ制御を行えるように構成されていた。しかし、空調換気システム１００においては、グループ制御は必ずしも必要ではなく、グループ設定部７４については省略可能である。
【０２２１】
（８−１４）変形例Ｎ
上記実施形態の空調換気システム１００は、図１１に示す空調換気システム５００のように構成してもよい。以下、空調換気システム５００について説明する。なお、空調換気システム１００と共通する部分については説明を省略する。
【０２２２】
図１１は、空調換気システム５００において構成される冷媒回路ＲＣ及び伝送路を示した模式図である。
【０２２３】
空調換気システム５００においては、アダプタユニット５０（５０ａ及び５０ｂ）に代えてアダプタユニット９５（９５ａ及び９５ｂ）が配置されている。また、空調換気システム５００では、室内ユニット制御部３４（コントローラ７０）と、アダプタユニット９５と、が通信線で接続されておらず、電波又は赤外線を用いたいわゆる無線通信を行っている。
【０２２４】
空調換気システム５００では、アダプタユニット９５が室内ユニット制御部３４（コントローラ７０）へ信号（状態報知信号）を送信し、室内ユニット制御部３４（コントローラ７０）はアダプタユニット９５が送信した信号を受信するのみでアダプタユニット９５に対し信号を送信しない。すなわち、空調換気システム５００では、室内ユニット制御部３４（コントローラ７０）及びアダプタユニット９５間の通信は、空調換気システム１００のように双方向ではなく、一方向である。
【０２２５】
空調換気システム５００では、冷媒漏洩センサ６０が、室内ユニット制御部３４（コントローラ７０）とは接続されておらず、アダプタユニット９５と電気的に接続されている。
【０２２６】
このように構成される空調換気システム５００によっても、本発明と同様の効果を実現することが可能である。
【０２２７】
すなわち、アダプタユニット９５が、換気装置４０を正常に制御可能な状態において、定期的に状態報知信号を送信することで、コントローラ７０は、状態報知信号を受信しない場合には、状態報知信号を正常に送信されていないアダプタユニット９５が設置された対象空間ＳＰ（すなわち、換気装置４０の動作を正常に制御できない対象空間ＳＰ）において室内ユニット３０（空調装置１０）の運転を禁止する（すなわち運転を開始させない又は運転を停止させるように制御する）。
【０２２８】
その結果、対象空間ＳＰにおいて換気装置４０が空調装置１０とは独立して設置されるか否かに関わらず、換気装置４０の動作を制御可能な場合に限って空調装置１０の運転が行われる。すなわち、冷媒漏洩が生じた際に確実に換気が行われると想定されない状況においては、空調装置１０の運転がなされない。よって、冷媒漏洩に対する保安性が確実に担保される。
【０２２９】
なお、空調換気システム５００においては、コントローラ７０の強制換気制御部７７及び冷媒漏洩判別フラグ（Ｆａ及びＦｂ）に相当する機能部がアダプタユニット９５に設けられ、アダプタユニット９５が、対象空間ＳＰにおいて冷媒漏洩が生じた際の強制換気に関する制御を行う。
【０２３０】
すなわち、空調換気システム５００では、冷媒漏洩センサ６０は、冷媒漏洩を検知した際、冷媒漏洩信号を、コントローラ７０に対してではなく、接続されているアダプタユニット９５に対して送信する。アダプタユニット９５は、冷媒漏洩信号を受信すると、対応する換気装置４０を最大回転数（最大風量）で駆動させる。その結果、空調換気システム５００によっても、対象空間ＳＰにおいて冷媒漏洩が生じた際に、強制換気運転が行われる。
【０２３１】
なお、空調換気システム５００において、室内ユニット制御部３４（コントローラ７０）及びアダプタユニット９５間を通信線で接続し、無線通信ではなく有線通信が行われるように構成してもよい。
【０２３２】
（８−１５）変形例Ｏ
上記実施形態では、アダプタユニット５０は、室内ユニット制御部３４と通信線ＣＢ１又はＣＢ２で接続されることで、コントローラ７０と通信可能に構成されていた。しかし、アダプタユニット５０は、コントローラ７０の他の要素（リモコン３５、室外ユニット制御部２６、又は集中管理機器３８等）と、有線あるいは無線ネットワークで接続されることで、コントローラ７０と通信するように構成されてもよい。
【産業上の利用可能性】
【０２３３】
本発明は、空調装置と換気装置を有する空調換気システムに適用可能である。
【符号の説明】
【０２３４】
５        ：商用電源
１０      ：空調装置
２０      ：室外ユニット
２６      ：室外ユニット制御部
３０（３０ａ−３０ｄ）  ：室内ユニット
３４      ：室内ユニット制御部
３５（３５ａ、３５ｂ）  ：リモコン
３８      ：集中管理機器
４０（４０ａ、４０ｂ）、８０  ：換気装置
４１      ：本体フレーム（フレーム）
４１ａ    ：給気流路
４１ｂ    ：排気流路
４２      ：熱交換器
４３      ：給気ファン（換気ファン）
４３ａ    ：給気ファンモータ
４４      ：排気ファン（換気ファン）
４４ａ    ：排気ファンモータ
４５      ：換気ファン制御部（駆動部、駆動電圧供給部）
５０、９０  ：アダプタユニット（換気制御部）
５０ａ    ：第１アダプタユニット
５０ｂ    ：第２アダプタユニット
５１      ：アダプタユニット記憶部
５１ａ    ：運転コマンド判別フラグ
５１ｂ    ：風量判別フラグ
５２      ：アダプタユニット通信部
５３      ：アダプタユニット入力部
５４      ：アダプタユニット制御部
５５      ：状態判定部
６０      ：冷媒漏洩センサ
６０ａ    ：第１冷媒漏洩センサ
６０ｂ    ：第２冷媒漏洩センサ
７０      ：コントローラ（空調制御部、統括制御部）
７１      ：記憶部
７１ａ、７１ｂ  ：状態判別フラグ
７２      ：通信部
７３      ：入力制御部
７４      ：グループ設定部
７５      ：アクチュエータ制御部
７６      ：運転許可部
７７      ：強制換気制御部
７８      ：表示制御部
８１      ：換気ファン
８１ａ    ：換気ファンモータ
８２      ：駆動回路（駆動部）
９１      ：切換部
９２      ：切換制御部
１００、２００、３００、５００  ：空調換気システム
４０１    ：取入ダクト
４０２    ：給気ダクト
４０３    ：取出ダクト
４０４    ：排気ダクト
４１１    ：電装品箱
４５１    ：接続端子
ＣＢ１、ＣＢ２  ：通信線
ＥＡ      ：排出空気
Ｆａ、Ｆｂ  ：冷媒漏洩判別フラグ
Ｇ１、Ｇ２  ：運転可否判別フラグ
ＧＰ      ：ガス連絡配管
ＬＰ      ：液連絡配管
ＮＷ      ：ネットワーク（伝送路）
ＯＡ      ：室外空気
ＲＡ      ：室内空気
ＲＣ      ：冷媒回路
ＳＡ      ：供給空気
ＳＰ（ＳＰ１、ＳＰ２）  ：対象空間
ＴＢ１    ：グルーピングテーブル
【先行技術文献】
【特許文献】
【０２３５】
【特許文献１】特開２００１−７４２８３号公報
【図１】
2019174110.tif 000003
【図２】
2019174110.tif 000004
【図３】
2019174110.tif 000005
【図４】
2019174110.tif 000006
【図５】
2019174110.tif 000007
【図６】
2019174110.tif 000008
【図７】
2019174110.tif 000009
【図８】
2019174110.tif 000010
【図９】
2019174110.tif 000011
【図１０】
2019174110.tif 000012
【図１１】
2019174110.tif 000013